(57)【要約】【課題】簡素な部品でバンドを製作することができ、バンドを簡易に巻くことが可能なヘッドホンを提供すること。【解決手段】スピーカユニットを有するハウジング１０２と、ジョイントで互いに接続された一連の複数のリンク１１２、１１４からなり、端部においてハウジングと接続されたバンド１０４とを備え、リンクは、リンク間の回転角度を規制する角度規制部を有し、バンドは、回転角度の規制によって、ハウジングが耳介を押圧する方向に弾性力を有することを特徴とする。【選択図】図１
2011015235.tif 000002
【特許請求の範囲】
【請求項１】
スピーカユニットを有するハウジングと、
ジョイントで互いに接続された一連の複数のリンクからなり、端部において前記ハウジングと接続されたバンドと
を備え、
前記リンクは、前記リンク間の回転角度を規制する角度規制部を有し、
前記バンドは、前記回転角度の規制によって、前記ハウジングが耳介を押圧する方向に弾性力を有する、ヘッドホン。
【請求項２】
前記バンドは、前記ハウジングとの接続部分近傍と前記バンドの中間部分とで、規制される前記回転角度が異なる、請求項１に記載のヘッドホン。
【請求項３】
前記バンドは、螺旋状に巻き取り可能である、請求項１に記載のヘッドホン。
【請求項４】
前記バンドは弾性材で形成された、請求項１に記載のヘッドホン。
【請求項５】
前記リンクは互いに取り付け及び取り外し可能である、請求項１に記載のヘッドホン。
【請求項６】
前記リンクは直線状の開口部を有し、
前記開口部を介して前記バンドの内部に、前記スピーカユニットから又は前記スピーカユニットへの電気信号を伝送する電線を挿入することができ、又は前記開口部を介して前記電線を前記バンドの内部から外部に取り出すことができる、請求項１に記載のヘッドホン。
【発明の詳細な説明】
【技術分野】
【０００１】
本発明は、ヘッドホンに関する。
【背景技術】
【０００２】
ヘッドホンは、再生音を出力するスピーカユニットが内蔵されたハウジングと、ハウジングと接続されたバンドを備える。
【０００３】
ハウジングは、大きさや人の耳介との配置関係によって、耳覆い型、耳載せ型、イントラコンカ型、インサート型などに分類される。耳覆い型は、耳介全体を覆う形状を有し、耳載せ型は、耳覆い型よりも小さく、耳介の表側に当接する形状を有している。また、イントラコンカ型は、耳介の耳甲介腔に挿入され、耳珠や対珠で保持される形状を有し、インサート型は、外耳道に挿入され、耳栓のように保持される形状を有している。また、特許文献１には、耳掛け形のイヤホンが開示されている。
【０００４】
特に、耳覆い型や耳載せ型のヘッドホンは、ハウジングをバランスよく配置するため、ハウジングに接続された、例えば帯状のバンドでハウジングを保持している。バンドは、頭部との配置関係によって、ネックバンド、ヘッドバンドなどに分類される。ネックバンドは、バンドが後頭部に沿って配置され、ヘッドバンドは、バンドが頭頂部を通過するように配置される。特許文献２には、ネックバンドの一例が開示されている。
【先行技術文献】
【特許文献】
【０００５】
【特許文献１】特開２００１−３３３４８３号公報
【特許文献２】特開２００３−２７４４７７号公報
【発明の概要】
【発明が解決しようとする課題】
【０００６】
従来のバンドは、バンドを構成する部品が複雑であり、各部品の形状はそれぞれ異なる形状を有するものが一般的である。また、バンドを構成する部品はその一部を取り外すことはできず、バンドの長さ調節をするためにはバンドに複雑な機構を設ける必要があった。更に、バンドは、ハウジングが耳介を押圧する方向（内側方向）に簡単に曲げることができないような形状を有するものが多かった。
【０００７】
そこで、本発明は、上記問題に鑑みてなされたものであり、本発明の目的とするところは、簡素な部品でバンドを製作することができ、バンドを簡易に巻くことが可能な、新規かつ改良されたヘッドホンを提供することにある。
【課題を解決するための手段】
【０００８】
上記課題を解決するために、本発明のある観点によれば、スピーカユニットを有するハウジングと、ジョイントで互いに接続された一連の複数のリンクからなり、端部においてハウジングと接続されたバンドとを備え、リンクは、リンク間の回転角度を規制する角度規制部を有し、バンドは、回転角度の規制によって、ハウジングが耳介を押圧する方向に弾性力を有するヘッドホンが提供される。
【０００９】
上記バンドは、ハウジングとの接続部分近傍とバンドの中間部分とで、規制される回転角度が異なってもよい。
上記バンドは、螺旋状に巻き取り可能であってもよい。
【００１０】
上記バンドは弾性材で形成されてもよい。
上記リンクは互いに取り付け及び取り外し可能であってもよい。
【００１１】
上記リンクは直線状の開口部を有し、開口部を介してバンドの内部に、スピーカユニットから又はスピーカユニットへの電気信号を伝送する電線を挿入することができ、又は開口部を介して電線をバンドの内部から外部に取り出すことができてもよい。
【発明の効果】
【００１２】
本発明によれば、簡素な部品でバンドを製作することができ、バンドを簡易に巻くことができる。
【図面の簡単な説明】
【００１３】
【図１】本発明の第一の実施形態に係るヘッドホン１００を示す斜視図である。
【図２】同実施形態に係るヘッドホン１００を示す正面図である。
【図３】同実施形態に係るヘッドホン１００を示す右側面図である。
【図４】同実施形態に係るヘッドホン１００を示す上面図である。
【図５】同実施形態に係るヘッドホン１００を畳んだ第一の状態を示す正面図である。
【図６】同実施形態に係るヘッドホン１００を畳んだ第二の状態を示す正面図である。
【図７】同実施形態に係るヘッドホン１００のうちバンド１０４のリンク１１４を取り外した状態を示す正面図である。
【図８】同実施形態に係るヘッドホン１００のリンク１１４を示す斜視図である。
【図９】同実施形態に係るヘッドホン１００のリンク１１４を示す背面図（Ａ）、平面図（Ｂ）、正面図（Ｃ）、右側面図（Ｄ）、下面図（Ｅ）である。
【図１０】図９の１０−１０線断面図である。
【図１１】本発明の第二の実施形態に係るヘッドホン２００を示す正面図である。
【図１２】同実施形態に係るヘッドホン２００を畳んだ第一の状態を示す正面図である。
【図１３】同実施形態に係るヘッドホン２００を畳んだ第二の状態を示す斜視図である。
【図１４】同実施形態に係るヘッドホン２００のうちバンド２０２のリンク２１４を取り外した状態を示す正面図である。
【図１５】同実施形態に係るヘッドホン２００のリンク２１４を示す斜視図である。
【図１６】同実施形態に係るヘッドホン２００のリンク２１４を示す背面図（Ａ）、平面図（Ｂ）、正面図（Ｃ）、右側面図（Ｄ）、下面図（Ｅ）である。
【図１７】本発明の第一の実施形態に係るヘッドホン１００を示す正面図である。
【図１８】同実施形態に係るヘッドホン１００を示す右側面図である。
【図１９】同実施形態に係るヘッドホン１００のリンク１１４の変更例を示す背面図（Ａ）、平面図（Ｂ）、正面図（Ｃ）である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．第一の実施形態（バンドの幅が比較的広い例）
２．第二の実施形態（バンドの幅が比較的狭い例）
【００１６】
＜１．第一の実施形態＞
［ヘッドホン１００の構成］
まず、図１〜図４を参照して、本発明の第一の実施形態に係るヘッドホン１００の構成について説明する。図１は、本発明の第一の実施形態に係るヘッドホン１００を示す斜視図である。図２は、本実施形態に係るヘッドホン１００を示す正面図である。図３は、本実施形態に係るヘッドホン１００を示す右側面図である。図４は、本実施形態に係るヘッドホン１００を示す上面図である。
【００１７】
ヘッドホン１００は、ハウジング１０２と、バンド１０４と、接続部材１０６などからなる。図１〜図４に示したヘッドホン１００のハウジング１０２は、耳介全体を覆う形状を有する耳覆い型であり、バンド１０４はヘッドバンドとして使用される例である。
【００１８】
ハウジング１０２は、図１〜図４に示すように円形状の面を有する筐体からなる。例えば、ハウジング１０２は、直径約１０ｃｍの円形状を有する。ハウジング１０２の外面には、接続部材１０６が設けられる。
【００１９】
ハウジング１０２は、スピーカユニット（図示せず。）を収容する。スピーカユニットは、例えば無線で再生装置から再生信号が入力され、再生音を出力する。この場合、ハウジング１０２内部には、再生信号受信部（図示せず。）やバッテリー部（図示せず。）などが設けられる。スピーカユニットは、一般的なスピーカユニットを適用することができ、詳細な説明は省略する。
【００２０】
なお、スピーカユニットと再生装置は、有線で接続されてもよい。この場合、ハウジング１０２には電線が設けられ、電線を介して再生装置からスピーカユニットに再生信号が入力される。また、バンド１０４内部には、スピーカユニットからの電気信号、又はスピーカユニットへの電気信号を伝送する電線１２２が配置される。電線１２２のバンド１０４内への挿入の仕方については後述する。
【００２１】
バンド１０４は、ジョイントで互いに接続された一連の複数のリンク１１２、１１４からなり、両端部において接続部材１０６を介してハウジング１０２と接続される。リンク１１２は、ハウジング１０２との接続部分近傍を構成する部材であり、リンク１１４は、バンド１０４の中間部分を構成する部材である。各リンク１１２、１１４は、ジョイントを中心としてリンク１１２、１１４間で回転可能であるが、各リンク１１２、１１４は角度規制部を有しており、リンク１１２、１１４間の回転角度は規制される。
【００２２】
［ヘッドホン１００のバンド１０４の動作］
図１〜図４は、ユーザーの頭部にヘッドホン１００を装着する際のヘッドホン１００の状態を示しており、バンド１０４を外側方向に広げた状態である。ここで外側方向とは、装着時のユーザーの頭部側をバンド１０４の内側としたときの内側方向に対する反対側方向である。
【００２３】
各リンク１１２、１１４は、図１〜図４で示した状態より外側に回転できないように角度規制される。また、バンド１０４のリンク１１２、１１４は、合成樹脂（例えばポリプロピレン等）などの弾性材で形成される。その結果、ユーザーの頭部にヘッドホン１００を装着したとき、バンド１０４はハウジング１０２がユーザーの耳介を押圧する方向に弾性力を有する。
【００２４】
バンド１０４は、ハウジング１０２との接続部分近傍のリンク１１２と、バンド１０４の中間部分のリンク１１４とで、規制される角度が異なるようにしてもよい。例えば、リンク１１２は、一連の複数のリンク１１２が直線に近い形状になる位置で回転角度が規制される。また、リンク１１４は、一連の複数のリンク１１４が直径約２０ｃｍの円形になる位置で角度が規制される。これにより、図１〜図４に示すようにバンド１０４を広げた状態では、バンド１０４の形状を、頭部の外周に沿う形状に形成できる。
【００２５】
図１〜図４ではヘッドホン１００を外側方向に広げた状態について説明したが、次に、図５及び図６を参照して、ヘッドホン１００を畳んだ状態について説明する。図５は、本実施形態に係るヘッドホン１００を畳んだ第一の状態を示す正面図である。図６は、本実施形態に係るヘッドホン１００を畳んだ第二の状態を示す正面図である。
【００２６】
各リンク１１２、１１４は、外側方向に比べて内側方向に回転できる角度範囲が大きく構成されている。従って、バンド１０４は、外側方向に比べて内側方向に回転の自由度が高く、内側に曲げることによってコンパクトに巻き取ることができる。例えば、ヘッドホン１００は、図５に示すように、バンド１０４が同一平面内に収まるように、バンド１０４を平面上において螺旋状に巻き取ることができる。
【００２７】
また、各リンク１１２、１１４は例えば合成樹脂製である。そのため、ヘッドホン１００は、図５に示した平面上だけでなく、図６に示すように、バンド１０４が一端から他端方向に螺旋形状になるように、バンド１０４を簡易に巻き取ることができる。
【００２８】
このように、本実施形態のヘッドホン１００のバンド１０４は、複数のリンク１１２、１１４からなるため、従来にない巻き取り方ができ、コンパクトな形状に畳むことができるため、従来にない容易な収納や携帯が可能となる。また、リンク１１２、１１４は簡素な部品であり、多数が連結して製作されるため、従来のヘッドホンで用いられていた複雑な折り畳み構造用部品が不要になる。
【００２９】
次に、図７を参照して、バンド１０４の長さ調節について説明する。図７は、本実施形態に係るヘッドホン１００のうちバンド１０４のリンク１１４を取り外した状態を示す正面図である。
【００３０】
ヘッドホン１００のバンド１０４を構成する各リンク１１２、１１４は弾性材で形成されている。従って、リンク１１２、１１４は、比較的容易にジョイントで互いに接続したり、接続した状態から取り外したりできる。また、バンド１０４内部に配線された電線１２２は、各リンク１１２、１１４に設けられた第一開口部１３６を通過させることができる。従って、バンド１０４を構成する一つ一つのリンク１１２、１１４がジョイントで簡単に取り外し可能であるため、バンド１０４の長さ調節が容易である。
【００３１】
図７に示すように、バンド１０４の任意の部分で一つ又は複数のリンク１１４（又は、図示しないがリンク１１２）を取り外すことができる。そして、残ったバンド１０４のリンク１１４同士（又は、リンク１１２同士若しくはリンク１１２とリンク１１４）を接続する。これにより、バンド１０４の長さを容易に短縮できる。
【００３２】
反対に、バンド１０４の任意の位置でリンク１１４間の接続を切り離して、その間に一つ又は複数のリンク１１４を挿入し、新たにリンク１１４同士を接続することができる。これにより、バンド１０４の長さを容易に伸長できる。
【００３３】
従来、バンドの長さ調節のためには、バンドがスライド可能なようにレールを用いる機構など、バンドに複雑な機構を設ける必要があった。また、バンドを構成する部品は互いに取り外すことができなかった。一方、本実施形態のヘッドホン１００によれば、ヘッドバンドの長さ調節が容易になる。
【００３４】
［リンク１１４］
次に、図８〜図１０を参照して、本実施形態のバンド１０４に用いられるリンク１１４について説明する。リンク１１４は、バンド１０４の中間部分に使用される個々の部材である。図８は、本実施形態に係るヘッドホン１００のリンク１１４を示す斜視図である。図９は、本実施形態に係るヘッドホン１００のリンク１１４を示す背面図（Ａ）、平面図（Ｂ）、正面図（Ｃ）、右側面図（Ｄ）、下面図（Ｅ）である。図１０は、図９の１０−１０線断面図である。
【００３５】
リンク１１４は、第一側面部材１３１と、第二側面部材１３３と、第一接続部材１３５と、第二接続部材１３７からなる。リンク１１４は、互いに接続されて、バンド１０４を構成する部材である。
【００３６】
第一側面部材１３１と、第二側面部材１３３と、第一接続部材１３５と、第二接続部材１３７は、図８及び図９に示すように、平面形状の部材である。
【００３７】
第一側面部材１３１と第二側面部材１３３は、互いに隣接しており、両者を合わせた面がリンク１１４の側面の一面を形成する。１つのリンク１１４において、第一側面部材１３１と第二側面部材１３３を合わせた側面は２組あり、互いに対向している。第一側面部材１３１の外面は、ほぼ第二側面部材１３３の板厚さ分だけ、第二側面部材１３３の外面より、リンク１１４の内側に位置している。これにより、複数のリンク１１４を互いに接続したとき、バンド１０４の側面は同一面に収まる。
【００３８】
第一接続部材１３５は、両端で、互いに対向する二つの側面の一端（図８では上端）を接続する。第二接続部材１３７は、両端で、互いに対向する二つの側面の他端（図８では下端）を接続する。第一接続部材１３５の外面と第二接続部材１３７の外面は平行である。
【００３９】
また、第一側面部材１３１は、突起部１３２を有する。突起部１３２は、円柱形状である。そして、第二側面部材１３３は、第二開口部１３４を有する。第二開口部１３４は、円形状の開口であり、他のリンク１１４の突起部１３２と嵌合可能である。突起部１３２と、第二開口部１３４が嵌合することによって、リンク１１４は、対向する二つの突起部１３２を結んだ軸（又は対向する二つの第二開口部１３４を結んだ軸）を中心に回転できる。突起部１３２と第二開口部１３４は、リンク１１４のジョイントの一例である。
【００４０】
更に、リンク１１４は、リンク１１４間の回転角度を規制する角度規制部を有する。バンド１０４は、回転角度の規制によって、ハウジング１０２が視聴者の耳介を押圧する方向に弾性力を有する。
【００４１】
角度規制部は、第一側面部材１３１に形成された第一接触面１４２及び第二接触面１４４と、図１０に示すように第二接続部材１３７に形成された第三接触面１４６及び第四接触面１４８からなる。第一接触面１４２及び第二接触面１４４は、第一側面部材１３１の一側を切り欠くようにして形成される。第三接触面１４６及び第四接触面１４８は、第二接続部材１３７の上面や側面に相当する。
【００４２】
二つのリンク１１４が互いに接続されたとき、リンク１１４が一方向に回転すると、第一接触面１４２は、隣接するリンク１１４の第三接触面１４６と接触する。その結果、バンド１０４は、バンド１０４の外側方向への回転が規制される。例えば、リンク１１４は、第一接触面１４２が第一接続部材１３５の外面となす角が８°であって、第三接触面１４６が第一接続部材１３５の外面と平行である。その結果、隣接する二つのリンク１１４は、なす角が８°になるところまで外側方向へ回転できる。この例では、外側方向へ回転させたとき、複数のリンク１１４は、仮に４５個（３６０°／８°）のリンク１１４があれば一周する弧を形成する。
【００４３】
また、二つのリンク１１４が互いに接続されたとき、リンク１１４が上述の一方向と反対の他方向に回転すると、第二接触面１４４は、隣接するリンク１１４の第四接触面１４８と接触する。その結果、バンド１０４は、バンド１０４の内側方向への回転が規制される。例えば、リンク１１４は、第二接触面１４４が第一接続部材１３５の外面となす角が４５°であって、第四接触面１４８が第一接続部材１３５の外面となす角が９０°である。その結果、隣接する二つのリンク１１４は、なす角が４５°になるところまで内側方向へ回転できる。この例では、内側方向へ回転させたとき、複数のリンク１１４は、仮に８個（３６０°／４５°）のリンク１１４があれば一周する弧を形成する。
【００４４】
更に、リンク１１４の第一接続部材１３５には、第一開口部１３６が形成される。第一開口部１３６は、開口部の一例である。第一開口部１３６は、複数のリンク１１４が接続されてバンド１０４が形成される方向と同一方向に形成される。図１等で示した本実施形態に係るヘッドホン１００の第一開口部１３６は、バンド１０４が形成される方向と平行ではなく、斜め方向に形成され、更に波形形状となっている。開口部が設けられることにより、第一開口部１３６を介してバンド１０４の長さ方向に電線１２２をバンド１０４内部に挿入できる。また、反対に第一開口部１３６を介して電線１２２をバンド１０４内部から外部に取り出すことができる。そして、第一開口部１３６が、図に示すような形状を有することで、バンド１０４を内側に巻いたり、外側に広げたりしても、電線１２２がバンド１０４内部から容易に飛び出すことはない。
【００４５】
［リンク１１２］
上記では、リンク１１４について説明したが、リンク１１２も、角度規制部を除いてリンク１１４と同様の構成を有する。リンク１１２は、バンド１０４のうち、ハウジング１０２とバンド１０４との接続部分付近に配置される。
【００４６】
リンク１１２は、リンク１１４と同様に第一側面部材１３１と、第二側面部材１３３と、第一接続部材１３５と、第二接続部材１３７からなる。また、第一側面部材１３１は、突起部１３２を有し、第二側面部材１３３は、第二開口部１３４を有する。
【００４７】
更に、リンク１１２は、リンク１１２間の回転角度を規制する角度規制部を有する。角度規制部は、第一側面部材１３１に形成された第一接触面１４２及び第二接触面１４４と、第二接続部材１３７に形成された第三接触面１４６及び第四接触面１４８からなる。
【００４８】
リンク１１２は、リンク１１４と回転を規制する角度の範囲が異なる。
二つのリンク１１２が互いに接続されたとき、リンク１１２が一方向に回転すると、第一接触面１４２は、隣接するリンク１１２の第三接触面１４６と接触する。その結果、バンド１０４は、バンド１０４の外側方向への回転が規制される。
【００４９】
例えば、リンク１１４では、第一接触面１４２が第一接続部材１３５の外面となす角が８°であったが、リンク１１２は、第一接触面１４２、第三接触面１４６の両方が第一接続部材１３５の外面と平行である。その結果、隣接する二つのリンク１１２は、なす角が０°になるところまで、即ち直線状に配置される位置で外側方向への回転が規制される。従って、ヘッドホン１００が視聴者に装着されたとき、リンク１１２は頭部に沿って直線状に設けられるため、ヘッドホン１００は頭部に適切に装着される。
【００５０】
［電線１２２］
次に図１７〜図１９を参照して、バンド１０４内部に配線される電線１２２について説明する。図１７は、本発明の第一の実施形態に係るヘッドホン１００を示す正面図である。図１８は、本実施形態に係るヘッドホン１００を示す右側面図である。図１９は、実施形態に係るヘッドホン１００のリンク１１４の変更例を示す背面図（Ａ）、平面図（Ｂ）、正面図（Ｃ）である。
【００５１】
図１７及び図１８では、バンド１０４内部に配線される電線１２２を実線で示し、バンド１０４を構成するリンク１１２、１１４を破線で示した。
【００５２】
電線１２２は、左右のスピーカユニットを接続する導線である。電線１２２は、バンド１０４内部でＳ字状になるように配線されるとよい。これにより、バンド１０４のリンク１１２、１１４を取り外して、バンド１０４を長くしたり短くしたりして長さ調節をする際、電線１２２を扱いやすくすることができる。バンド１０４内部で電線１２２のＳ字状を設ける位置やＳ字状部分の長さは、図１７や図１８に示した位置や長さに限定されない。
【００５３】
電線１２２がバンド１０４内部でＳ字状に配線されるとき、図１８や図１９に示すように、止め部材１５０がリンク１１４又はリンク１１２に設けられてもよい。止め部材１５０がＳ字状の屈曲部分の内側に位置することで、バンド１０４の長さ調節をする際、電線１２２が誤って引っ張り出され過ぎることを防止できる。
【００５４】
図１９に示す例では、止め部材１５０は、第一接続部材１３５及び第二接続部材１３７の内面側に、内面に対して垂直に設けられる。なお、電線１２２の引っ張り出しを防止できれば、止め部材の形状はこの形状に限定されない。
【００５５】
また、図示しないが、ハウジング１０２に、電線１２２をハウジング１０２内部に巻き取る機構が設けられてもよい。電線１２２の巻き取り機構は、例えば、ハウジング１０２外部に設けられたボタンが押圧されることで、電線１２２を巻き取りながらハウジング１０２内部に収容できる。また、ユーザーの手によって電線１２２が引っ張られることでハウジング１０２内部から電線１２２を引っ張り出すことができる。これにより、バンド１０４の長さ調節をする際、バンド１０４内部に配線される電線１２２の長さを適切に調節できる。
【００５６】
＜２．第二の実施形態＞
次に、図１１〜図１６を参照して、本発明の第二の実施形態に係るヘッドホン２００について説明する。図１１は、本発明の第二の実施形態に係るヘッドホン２００を示す正面図である。図１２は、本実施形態に係るヘッドホン２００を畳んだ第一の状態を示す正面図である。図１３は、本実施形態に係るヘッドホン２００を畳んだ第二の状態を示す斜視図である。
【００５７】
また、図１４は、本実施形態に係るヘッドホン２００のうちバンド２０４のリンク２１４を取り外した状態を示す正面図である。図１５は、本実施形態に係るヘッドホン２００のリンク２１４を示す斜視図である。図１６は、本実施形態に係るヘッドホン２００のリンク２１４を示す背面図（Ａ）、平面図（Ｂ）、正面図（Ｃ）、右側面図（Ｄ）、下面図（Ｅ）である。
【００５８】
［ヘッドホン２００の構成］
ヘッドホン２００は、ハウジング２０２と、バンド２０４などからなる。
【００５９】
ハウジング２０２は、第一の実施形態のハウジング１０２と異なり、外耳道に挿入され、耳栓のように保持される形状を有するインサート型である。バンド２０４は、ヘッドバンド又はネックバンドとして使用される例である。このような組み合わせによって、例えばランニングなどの運動をしてもずれにくいヘッドホン２００を実現できる。ハウジング２０２内のスピーカユニットと、ヘッドホン２００外部の再生装置は、有線で接続されてもよい。この場合、図１２に示すように、ヘッドホン２００には電線２２４が設けられ、電線２２４を介して再生装置からスピーカユニットに再生信号が入力される。
【００６０】
バンド２０４は、ジョイントで互いに接続された一連の複数のリンク２１２、２１４からなり、両端部においてハウジング２０２と接続される。リンク２１２は、ハウジング２０２との接続部分近傍を構成する部材であり、リンク２１４は、バンド２０４の中間部分を構成する部材である。各リンク２１２、２１４は、ジョイントを中心としてリンク２１２、２１４間で回転可能であるが、各リンク２１２、２１４は角度規制部を有しており、リンク２１２、２１４間の回転角度は規制される。
【００６１】
バンド２０４は、第一の実施形態のバンド１０４と異なり、長さ方向に対する垂直方向の幅が比較的狭い。それにより、本実施形態の第一開口部２３６の形状が、第一の実施形態の第一開口部１３６と異なるが、それ以外の点では、バンド２０４とバンド１０４はほぼ同様の構成である。
【００６２】
［ヘッドホン２００のバンド２０４の動作］
図１１は、ユーザーの頭部にヘッドホン２００を装着する際のヘッドホン２００の状態を示しており、バンド２０４を外側方向に広げた状態である。
【００６３】
各リンク２１２、２１４は、図１１で示した状態より外側に回転できないように角度規制される。また、バンド２０４のリンク２１２、２１４は、合成樹脂（例えばポリプロピレン等）などの弾性材で形成される。その結果、ユーザーの頭部にヘッドホン２００を装着したとき、バンド２０４はハウジング２０２がユーザーの耳介を押圧する方向に弾性力を有する。
【００６４】
バンド２０４は、ハウジング２０２との接続部分近傍のリンク２１２と、バンド２０４の中間部分のリンク２１４とで、規制される角度が異なるようにしてもよい。例えば、リンク２１２は、一連の複数のリンク２１２が直線に近い形状になる位置で回転角度が規制される。また、リンク２１４は、一連の複数のリンク２１４が直径約２０ｃｍの円形になる位置で角度が規制される。これにより、図１１に示すようにバンド２０４を広げた状態では、バンド２０４の形状を、頭部の外周に沿う形状に形成できる。
【００６５】
次に、ヘッドホン１００を畳んだ状態について説明する。
各リンク２１２、２１４は、外側方向に比べて内側方向に回転できる角度範囲が大きく構成されている。従って、バンド２０４は、外側方向に比べて内側方向に自由度が高く、内側に曲げることによってコンパクトに巻き取ることができる。例えば、ヘッドホン２００は、図１２に示すように、バンド２０４が同一平面内に収まるように、バンド２０４を平面上において螺旋状に巻き取ることができる。
【００６６】
また、各リンク２１２、２１４は例えば合成樹脂製である。そのため、ヘッドホン２００は、図１２に示した平面上だけでなく、図１３に示すように、バンド２０４が一端から他端方向に螺旋形状になるように、バンド２０４を巻き取ることができる。図１３に示す螺旋形状に巻かれたバンド２０４は、図６で示した第一の実施形態の螺旋形状に巻かれたバンド１０４と様子が異なるが、これはバンド２０４自身の長さや幅、ハウジング２０２のサイズなどによるものである。
【００６７】
このように、本実施形態のヘッドホン２００のバンド２０４は、複数のリンク２１２、２１４からなるため、従来にない巻き取り方ができ、コンパクトな形状に畳むことができるため、従来にない容易な収納や携帯が可能となる。また、リンク２１２、２１４は簡素な部品であり、多数が連結して製作されるため、従来のヘッドホンで用いられていた複雑な折り畳み構造用部品が不要になる。
【００６８】
また、図１４に示すように、バンド２０４の長さ調節についても、第一の実施形態のバンド１０４の長さ調節と同様に行うことができる。ヘッドホン２００のバンド２０４を構成する各リンク２１２、２１４は弾性材で形成されている。従って、リンク２１２、２１４は、比較的容易にジョイントで互いに接続したり、接続した状態から取り外したりできる。また、バンド２０４内部に配線された電線２２２は、各リンク２１２、２１４に設けられた第一開口部２３６を通過させることができる。従って、バンド２０４を構成する一つ一つのリンク２１２、２１４がジョイントで簡単に取り外し可能であるため、バンド２０４の長さ調節が容易である。
【００６９】
図１４に示すように、バンド２０４の任意の部分で一つ又は複数のリンク２１４（又は、図示しないがリンク２１２）を取り外すことができる。そして、残ったバンド２０４のリンク２１４同士（又は、リンク２１２同士若しくはリンク２１２とリンク２１４）を接続する。これにより、バンド２０４の長さを容易に短縮できる。
【００７０】
反対に、バンド２０４の任意の位置でリンク２１４間の接続を切り離して、その間に一つ又は複数のリンク２１４を挿入し、新たにリンク２１４同士を接続することができる。これにより、バンド２０４の長さを容易に伸長できる。本実施形態のヘッドホン２００によれば、ヘッドバンドの長さ調節が容易になる。
【００７１】
［リンク２１４］
次に、図１５及び図１６を参照して、本実施形態のバンド２０４に用いられるリンク２１４について説明する。リンク２１４は、バンド２０４の中間部分に使用されるリンクである。
【００７２】
リンク２１４は、第一側面部材２３１と、第二側面部材２３３と、第一接続部材２３５と、第二接続部材２３７からなる。リンク２１４は、互いに接続されて、バンド２０４を構成する部材である。
【００７３】
第一側面部材２３１と、第二側面部材２３３と、第一接続部材２３５と、第二接続部材２３７は、第一の実施形態の第一側面部材１３１と、第二側面部材１３３と、第一接続部材１３５と、第二接続部材１３７に相当する。各部材の詳細については省略する。
【００７４】
また、第一側面部材２３１は、突起部２３２を有する。突起部２３２は、円柱形状である。そして、第二側面部材２３３は、第二開口部２３４を有する。第二開口部２３４は、円形状の開口であり、他のリンク２１４の突起部２３２と嵌合可能である。突起部２３２と、第二開口部２３４が嵌合することによって、リンク２１４は、対向する二つの突起部２３２を結んだ軸（又は対向する二つの第二開口部２３４を結んだ軸）を中心に回転できる。突起部２３２と第二開口部２３４は、リンク２１４のジョイントの一例である。
【００７５】
更に、リンク２１４は、リンク２１４間の回転角度を規制する角度規制部を有する。バンド２０４は、回転角度の規制によって、ハウジング２０２が視聴者の耳介を押圧する方向に弾性力を有する。
【００７６】
角度規制部は、第一側面部材２３１に形成された第一接触面２４２及び第二接触面２４４と、第二接続部材２３７に形成された第三接触面２４６及び第四接触面２４８からなる。第一接触面２４２及び第二接触面２４４は、第一側面部材２３１の一側を切り欠くようにして形成される。第三接触面２４６及び第四接触面２４８は、第二接続部材２３７の上面や側面に相当する。
【００７７】
本実施形態に係る角度規制部の構成や作用は、第一の実施形態で説明した角度規制部と同様であるため詳しい説明は省略する。
【００７８】
更に、リンク２１４の第一接続部材２３５には、第一開口部２３６が形成される。第一開口部２３６は、開口部の一例である。第一開口部２３６は、複数のリンク２１４が接続されてバンド２０４が形成される方向と同一方向に形成される。図１３、図１５、図１６で示した本実施形態に係るヘッドホン２００の第一開口部２３６は、バンド２０４が形成される方向と平行方向に形成され、更に一部分の幅が狭くなる形状となっている。開口部が設けられることにより、第一開口部２３６を介してバンド２０４の長さ方向に電線２２２をバンド２０４内部に挿入できる。また、反対に第一開口部２３６を介して電線２２２をバンド２０４内部から外部に取り出すことができる。そして、第一開口部２３６が、図に示すような一部幅が狭い形状を有することで、バンド２０４を内側に巻いたり、外側に広げたりしても、電線２２２がバンド２０４内部から容易に飛び出すことはない。
【００７９】
［リンク２１２］
上記では、リンク２１４について説明したが、リンク２１２も、角度規制部を除いてリンク１１４と同様の構成を有する。リンク２１２は、バンド２０４のうち、ハウジング２０２とバンド２０４との接続部分付近に配置される。リンク２１２は、リンク２１４と回転を規制する角度の範囲が異なる。
【００８０】
隣接する二つのリンク２１２は、なす角が０°になるところまで、即ち直線状に配置される位置で外側方向への回転が規制される。従って、ヘッドホン２００が視聴者に装着されたとき、リンク２１２は頭部に沿って直線状に設けられるため、ヘッドホン２００は頭部に適切に装着される。
【００８１】
以上、本発明の第一および第二の実施形態に係るヘッドホン１００、２００によれば、従来のヘッドホンにはないバンド１０４、２０４の巻き取り方ができる。バンド１０４、２０４は螺旋状に巻くことができるため、従来にない収納や携帯ができるヘッドホン１００、２００を実現できる。また、リンク１１２、１１４、２１２、２１４という簡素な部品を多数連結してバンド１０４、２０４を製作することができ、従来の複雑な折り畳み機構を不要とすることができる。更に、バンド１０４、２０４を構成する一つ一つのリンク１１２、１１４、２１２、２１４が簡単に取り外し可能とすることができるため、バンドの長さ調節ができカスタム性に優れる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８３】
例えば、バンド１０４、２０４の形状は、上述した例に限定されてない。例えば、各リンク１１２、１１４、２１２、２１４の外観が、図で示した例に比べて丸みを帯びた形状を有していてもよい。これにより、丸みを帯びたバンドを形成できる。また、バンド１０４、２０４の外周に布などのカバーを被覆してもよい。これにより、バンドの外観を変えることができるし、リンク１１２、１１４、２１２、２１４間での視聴者の髪の毛の挟み込みを防止できる。
【００８４】
更に、図で示したバンド１０４（又はバンド２０４）は、二つのハウジング１０２（２０２）間で１本のみ設けられる場合について示したが、本発明はこの例に限定されない。例えば、二つのハウジング１０２（２０２）間で２本又は３本以上のバンド１０４（２０４）が設けられてもよい。
【００８５】
バンド１０４、２０４を構成する一つ一つのリンク１１２、１１４、２１２、２１４の取り外しや接続は、個々のユーザーが行うことができるようにリンク１１２、１１４、２１２、２１４を構成してもよいし、製品出荷時までの工場でのみ行うことができるように構成してもよい。これは、例えば、リンク１１２、１１４、２１２、２１４の形状や材質などによって調節できる。また、第一の実施形態で説明した電線１２２のＳ字状配線が解除されないように、Ｓ字状配線の部分のみリンク１１２、１１４、２１２、２１４をユーザーによって取り外しができないように構成してもよい。
【００８６】
また、バンド１０４、２０４を構成するリンク１１２、１１４、２１２、２１４の数は、上述した例に限定されない。バンド１０４、２０４を構成するリンク１１２、１１４、２１２、２１４の数は、５個以上とすることで、各リンク１１２、１１４、２１２、２１４の長さを短くでき、バンド１０４、２０４の長さ調節に関するカスタム性を確保できる。一方、バンド１０４、２０４を構成するリンク１１２、１１４、２１２、２１４の数を４個以下にすると、長さ調節がしにくくなり、別途長さ調節機構を設ける必要がある。バンド１０４、２０４を構成するリンク１１２、１１４、２１２、２１４の数が、１０個以上であれば更に長さ調節に関するカスタム性が増し、バンド１０４、２０４を畳んだ状態でのコンパクト性が向上する。
【００８７】
また、バンド１０４、２０４を構成する各リンク１１２、１１４、２１２、２１４の長さは、上述した例ではすべて等しい長さとしたが、本発明はこの例に限定されない。例えば、１本のバンドの中で、長さが長いリンクや短いリンクが混合して結合されてよい。また、上述した例では、１本のバンドの中で回転角度の規制の種類が二つとなるように２種類のリンクを組み合わせる場合について説明したが、本発明はこの例に限定されない。例えば、１本のバンドの中で３種類以上の回転角度規制が行われるように３種類以上のリンクを組み合わせてもよい。
【００８８】
また、ハウジング１０２は耳覆い型であり、ハウジング２０２はインサート型である例について説明したが、本発明はこの例に限定されない。例えば、ハウジングは、耳載せ型、イントラコンカ型などであってもよい。
【符号の説明】
【００８９】
１００、２００      ヘッドホン
１０２、２０２      ハウジング
１０４、２０４      バンド
１０６      接続部材
１１２、１１４、２１２、２１４      リンク
１２２、２２２、２２４      電線
１３１、２３１      第一側面部材
１３２、２３２      突起部
１３３、２３３      第二側面部材
１３４、２３４      第二開口部
１３５、２３５      第一接続部材
１３６、２３６      第一開口部
１３７、２３７      第二接続部材
１４２、２４２      第一接触面
１４４、２４４      第二接触面
１４６、２４６      第三接触面
１４８、２４８      第四接触面
１５０      止め部材
【図１】
2011015235.tif 000003
【図２】
2011015235.tif 000004
【図３】
2011015235.tif 000005
【図４】
2011015235.tif 000006
【図５】
2011015235.tif 000007
【図６】
2011015235.tif 000008
【図７】
2011015235.tif 000009
【図８】
2011015235.tif 000010
【図９】
2011015235.tif 000011
【図１０】
2011015235.tif 000012
【図１１】
2011015235.tif 000013
【図１２】
2011015235.tif 000014
【図１３】
2011015235.tif 000015
【図１４】
2011015235.tif 000016
【図１５】
2011015235.tif 000017
【図１６】
2011015235.tif 000018
【図１７】
2011015235.tif 000019
【図１８】
2011015235.tif 000020
【図１９】
2011015235.tif 000021